(57)【要約】    【課題】  扉体を上扉，下扉に分割して開閉する構成でありながら高さ方向のスペースセービングを図り得るとともに、該扉体の開閉操作や食器類の出し入れの操作性など使い勝手も良くする。    【解決手段】  洗浄槽４２の開口部４３を開閉すべく設けた扉体４８を備えた食器洗浄機において、前記扉体４８は、前記洗浄槽４２の開口部４３の上下部をそれぞれ閉鎖するように上下方向に配列された上扉４８ａと下扉４８ｂとからなり、そのうち下扉４８ｂは下端部を洗浄槽開口部４３の下部に回動自在に軸支され、また上扉４８ａはアーム部材５３を介して洗浄槽開口部４３の周縁に接離可能に設けられるとともに、該上扉４８ａは開放状態のとき下扉４８ｂの下側に位置する構成とする。    【選択図】  図１
2006034331.tif 000002
【特許請求の範囲】
【請求項１】
内部に洗浄槽を配設した本体と、この本体前面の洗浄槽開口部を開閉すべく設けた扉体と、食器類を収容し前記洗浄槽の開口部から出し入れ可能に配設した食器かごとを備えたものにおいて、
前記扉体は、前記洗浄槽の開口部の上下部をそれぞれ閉鎖するように上下方向に配列された上扉と下扉とからなり、そのうち下扉は下端部を洗浄槽開口部の下部に回動自在に軸支され、また上扉はアーム部材を介して洗浄槽開口部の周縁に接離可能に設けられるとともに、該上扉は開放状態のとき下扉の下側に位置する構成としたことを特徴とする食器洗浄機。
【請求項２】
上扉は、下扉の上端部に連結するとともに、この連結部は各上，下扉の開閉回動に応じて摺動可能に係合した構成としたことを特徴とする請求項１記載の食器洗浄機。
【請求項３】
上扉は、少なくとも上半部において本体側に向かって曲成した形状とし、同形状を有する洗浄槽開口部の周縁に接離可能に設けたことを特徴とする請求項１記載の食器洗浄機。
【請求項４】
扉体は、本体前面の洗浄槽開口部の周縁に備えたパッキンを介して水密に閉鎖され、この閉鎖状態を保持するため上扉に本体側と係脱可能に係止するラッチを設けるとともに、このラッチにより本体側に係止されたとき、上扉が下扉の上端部を本体側に向けて押圧可能な構成としたことを特徴とする請求項１記載の食器洗浄機。
【請求項５】
下扉は、内面が上向きにほぼ水平状態に開放されるとともに、その内面が洗浄槽内部のレール部材に支持された食器かごとほぼ同等の高さ位置に保持されるようにしたことを特徴とする請求項１記載の食器洗浄機。
【請求項６】
上扉に対し、そのアーム部材を介して閉扉方向に付勢するばね部材を設けたことを特徴とする請求項１ないし４のいずれかに記載の食器洗浄機。
【請求項７】
上扉は、その開放状態のとき内面が上向きになるとともに、この内面に水溜め凹所を設けたことを特徴とする請求項１記載の食器洗浄機。
【発明の詳細な説明】
【技術分野】
【０００１】
本発明は、洗浄槽前面の食器出し入れ用の開口部を、複数の扉により開閉する構成としてなる食器洗浄機に関する。
【背景技術】
【０００２】
一般に、多くの食器類を洗浄可能とするには食器かごの収納容積を大きくするなどの種々の工夫がなされているが、当然ながら食器かごの出し入れが容易であることが求められ、従って該食器かごを出し入れする洗浄槽の開口部も極力大きくすることが望ましい。
このため、上記開口部を開閉する扉体を１枚扉の構成とするのでは大型化し、これを開閉操作するには重くて操作性に難があり、しかも１枚扉では広い回動範囲を占めるなど、特に食器洗浄機をキッチンのシンク上に設置するなど、所謂卓上タイプのコンパクト構成の食器洗浄機では、スペース的に制約を受ける中で、扉の回動範囲が広いことは実用化の上で大きな難点となる。
【０００３】
そこで、大きくした開口部に対し扉体を上下２個に分割した構成が種々提案されており、例えば図６（ａ）では食器洗浄機本体１の前面開口部（図示せず）を開閉する扉体２として、折曲自在に連結した上扉２ａと下扉２ｂとから構成し、開放時にはこれを折り畳みながら開放し、上方位置に支持する構成としたものである。しかしながら、この扉体２の構成では食器かご（図示せず）の出し入れの際の載置台として利用できず、従って食器類の出し入れが容易でないこと、および二つ折りする際に手指を挟むおそれがあるばかりか、図示するように本体１より上方に扉１個分の高さスペースＨ１を必要とし、上部に棚があるような場所には不適である。
【０００４】
また、同図（ｂ）に示した異なる例は、扉体１２として本体１１前面に夫々独立した上扉１２ａ，下扉１２ｂを回動可能に設けてなるもので、本体１１上方のスペースセービングが図り得、且つ下扉１２ｂ内面を食器かごの出し入れの載置台として利用できる点で改善されるものの、開閉操作がそれぞれ上下方向への操作を要し面倒であるとともに、開放位置の上扉１２ａが前方へ突出するため、本体１１の内方（洗浄槽内）の視野の妨げとなり、食器類の出し入れ操作を行ない難くしている。
【０００５】
そこで近年、上記事情を考慮した図７に示すような食器洗浄機が供されており、これは扉体３２として下扉３２ｂの開閉動作に連動（連動機構３３）した上扉３２ａを備えたもので、操作性を簡便にするとともに、開扉時の上扉３２ａを本体３１の上方に移動させてほぼ水平状態に支持する構成として、スペースセービングにも考慮したものである。しかしながら、小さくなった高さスペースＨ２であっても、その上扉３２ａの動きを許容するスペースは更に大きくする必要があり、やはり上方に棚などがある場合に対し制約を受けるとともに、対策として本体３１の全高さを抑えると洗浄槽の内容積を縮小して収納できる食器点数が低下する憂いを有する。しかも、開放した上扉３２ａが上方に保持される構成の場合には、該上扉３２ａ内面に付着した結露が滴下する不具合を有し、その対策に苦慮せねばならない。
【０００６】
このような、種々の不具合を解消すべく下扉の開閉操作に連動して上扉を開閉するとともに、これら上扉，下扉の開放位置を共に下方に集束して、しかも各扉の内面が上向き状態に重ね合わせるような構成とし、且つ上側に位置する上扉の内面上に食器かごを引き出し可能とした構成が案出されている（例えば、特許文献１参照）。
【特許文献１】特開２００４−１０５２７０号公報
【発明の開示】
【発明が解決しようとする課題】
【０００７】
確かに、上記特許文献１記載の構成のようにすれば、上記した多くの不具合を改善できるように思われるが、斯かる構成では上扉の内面上に食器かごを引き出し可能とし、そのため下扉を従来より遥か下方位置で軸支する構成として洗浄槽の前面開口部を開閉せねばならず、従って本来必要としない例えば食器かごの底部より更に下方の領域まで下扉にて開閉する構成とするもので、このことは扉体として上下方向に大型化し重量増となることは避けられない。しかも、開閉操作する下扉に対し、これに連動して開閉する上扉が上方に位置するので、この直接操作しない上扉に頭部などが打ちつけないよう留意する必要があるばかりか、回動ストロークが小さい下扉を介して、長いリンク機構を有して大きく変位する上扉を開閉することは大きな操作力を必要とするなど、使い勝手の面で、或いは設計製造上の面で難しくするなど必ずしも十分とはいえない。
【０００８】
本発明は上記問題点を解決するため、上扉，下扉からなる扉体の構成でありながら高さ方向のスペースセービングを図り、扉体の開閉操作や食器類の出し入れなどの使い勝手に優れた食器洗浄機を提供することを目的とする。
【課題を解決するための手段】
【０００９】
上記目的を達成するために本発明による食器洗浄機は、内部に洗浄槽を配設した本体と、この本体前面の洗浄槽開口部を開閉すべく設けた扉体と、食器類を収容し前記洗浄槽の開口部から出し入れ可能に配設した食器かごとを備えたものにおいて、前記扉体は、前記洗浄槽の開口部の上下部をそれぞれ閉鎖するように上下方向に配列された上扉と下扉とからなり、そのうち下扉は下端部を洗浄槽開口部の下部に回動自在に軸支され、また上扉はアーム部材を介して洗浄槽開口部の周縁に接離可能に設けられるとともに、該上扉は開放状態のとき下扉の下側に位置する構成としたことを主たる特徴とするものである。
【発明の効果】
【００１０】
本発明の食器洗浄機によれば、扉体を構成するうちの下扉は、その下端部を回動自在に軸支した簡易な構成にて提供できるとともに、アーム部材を介して設けられた上扉と共に洗浄槽前面の大きな開口部を開閉できる。そして、このような下扉の下側に開放状態の上扉が位置するので、上扉が洗浄槽開口部を何ら遮ることがなくて食器かごの出し入れが容易で、且つ本体上方におけるスペースセービングが図り得るなど、使い勝手に優れた食器洗浄機を提供できる。
【発明を実施するための最良の形態】
【００１１】
以下、本発明の一実施例を示す図１ないし図４を参照して説明する。
そのうち、図１は開扉状態における食器洗浄機の全体構成を一部破断して示す側面図、図２（ａ）は図１中のＡ−Ａ線に沿って切断して示す断面図、同図（ｂ）は同じくＢ−Ｂ線に沿って切断して示す断面図、図３は閉扉状態（イ）から開扉状態（ニ）に至るまでの動作手順を説明するため、主な動作形態を示す側面図で、図４の（イ）ないし（ニ）は図３の動作手順に対応した外観斜視図である。
【００１２】
まず、図１に開示された食器洗浄機の全体構成につき概略説明すると、４１は矩形箱状をなす食器洗浄機本体で、この本体４１内には洗浄槽４２を設けるとともに、その本体４１の前面でもある洗浄槽４２の前面には、下方の図示しない電動ポンプ等の駆動機構部を配した一部分を除いて大きく開口した開口部４３を形成している（後述する図４参照）。この開口部４３は、洗浄槽４２内の食器類（図示せず）を直接出し入れ可能とすることはもとより、食器類を収納し例えば上下２段に配置された上，下部食器かご４４，４５を水平方向に何ら支障なく出し入れ可能とする大きさに設定され、特に本実施例における開口部４３は、正面前方を臨む通常の開口以外に上端部では一部上方を臨むべく開口した広い間口の形状とし、所謂側方から見てコーナーを円弧状に切除したように上下方向に亘り広い出入口形状としている。
【００１３】
しかるに、上記各食器かご４４，４５は、洗浄槽４２の両側壁に設けられ前後方向に延びるレール部材４６，４７に支持され、具体的には食器かご４４，４５の下部を摺動可能に支持されていて、そのうちの下部食器かご４５は、レール部材４７上を摺動して上記開口部４３を経て、ほぼ水平状態まで開放された後述する下扉４８ｂの上面に容易に引き出し得るようにしている。
【００１４】
そして、前記開口部４３を開閉する扉体４８として、該開口部４３の上下部を夫々閉鎖する上扉４８ａと下扉４８ｂとを上下に配列して設けている。なお、扉体４８の具体的な開閉機構については後述するが、開口部４３周縁には弾力性に富んだパッキン４９（図１のみ示す）が装着され、該扉体４８の閉鎖時に水密に圧着する構成としている。
そのうち、上扉４８ａには、その外面側の中腹部に開閉操作するための手掛け部５０を設け、また上端部に内方に突出し先端が鍵状をなしたラッチ５１ａを設けている。このラッチ５１ａは、本実施例では弾性的に回動復帰可能に設けられ、これに対向する本体４１側には固定的に設けられた被掛け具５１ｂに係止したとき、上扉４８ａを閉鎖状態に拘束保持するラッチ機構を構成するもので、所定以上の外力により係合，離脱可能な構成としている。このように、上扉４８ａに手掛け部５０およびラッチ５１ａを設けているのは、該上扉４８ａを開閉操作することで、後述するように下扉４８ｂが連動して開閉する構成をなしていて、また上扉４８ａ側を直接手動操作することでラッチ５１ａの係脱を容易に行なえ、且つ確実に機能させるために有効だからである。
【００１５】
そして、図示するように開扉状態では、いずれの上，下扉４８ａ，４８ｂも下方に集束され、洗浄槽４２の開口部４３全体を開放している。この場合、下扉４８ｂは収納状態にある前記した下部食器かご４５とほぼ同等高さ位置にて、ほぼ水平状態をなす位置まで回動開放されて該状態位置に保持され、一方、上扉４８ａは上記下扉４８ｂの下側にまで回り込むように大きく開放移動している。この状態で、上扉４８ａの一部である上端部が水平位置の下扉４８ｂ（内面）より若干上方に突き出た状態にあるが、その突出高さＣ１は前記した下部食器かご４５の高さＣ２より低く、従って下扉４８ｂの内面上に引き出された状態の下部食器かご４５の上端部より低位置となる高さに設定されている。
【００１６】
更に、斯かる扉体４８の開閉機構など具体構成について以下詳述する。なお、開閉機構等は図示する反対側の側部にも対称位置に設けられていて、該扉体４８を開閉可能に支持する構成としているが、以下の説明では図示される一方側のみの構成につき述べることとする。
まず、上扉４８ａは本体４１側に固着された支軸５２に回動可能に軸支されたアーム部材５３に連結されている。このアーム部材５３は、後方（図示右方）の軸支部分は直線状をなしているが前方に大きく突出した一端は、上扉４８ａの円弧状部分と相似形の円弧状に形成され、その先端部が上扉４８ａの上端部と回動可能に連結されている。
【００１７】
従って、詳細は後述するがアーム部材５３が支軸５２を中心に矢印Ｒ方向に回動すると、上扉４８ａは引っ張り上げられるように大きな円弧運動をした後、本体４１の前面たる開口部４３の周縁（パッキン４９）に接離可能に接合するもので、該アーム部材５３は所謂扉体４８の開閉機構の一部を構成している。このアーム部材５３には、支軸５２の近傍にて上扉４８ａ側に延びる部位に引っ張りばねからなるばね部材５４が、本体４１側との間に張設されていて、その張力は該アーム部材５３を介して上扉４８ａを閉鎖方向に付勢するように設けられている。
【００１８】
なお、図１に示す開扉状態にあって、上記アーム部材５３の円弧状部分が下扉４８ｂと一部交錯するが、これは下扉４８ｂの内面側の両側に僅かの隙間を形成して収納可能とすることで対処している。
一方、下扉４８ｂにあっては、直方体形状をなし直接その下端部を開口部４３下部の本体４１側に支軸５５により回動可能に軸支してなる開閉機構としていて、具体的には本体４１側に設けられた強度十分な支持部材６４を介して回動可能に支持されている。そして、該下扉４８ｂは上扉４８ａに比して上下寸法を小さくした小形形状とするとともに、その自由端部である先端の上端部が、前記上扉４８ａと摺動可能に連結されている。
【００１９】
この摺動可能な連結部の構成につき、図２（ａ）を参照して述べると、図２（ａ）は図１中のＡ−Ａ線に沿って切断して示す要部の拡大断面図で、下扉４８ｂの先端である上端部の両側（一方のみ図示）には、それぞれ外側方向に延びる凸部５６を設け、一方これに対応する上扉４８ａの内面両側に上記凸部５６と遊合状態に係合する凹溝５７を形成している。
【００２０】
この凹溝５７は、図１に示すように開扉状態における下扉４８ｂとの連結位置から上扉４８ａの下端部に亘り該上扉４８ａの形状に沿って形成されている。
従って、図示連結状態から上扉４８ａが閉鎖する上方向に移動しても、凸部５６が凹溝５７内を摺動するのみで、該凹溝５７の範囲内において下扉４８ｂが連結して移動する作用は受けない構成となっており、更なる詳細は作用説明の項にて後述する。
【００２１】
なお、図２（ｂ）には図１中のＢ−Ｂ線に沿って切断して示す要部の拡大断面図で、所謂上扉４８ａの下端部の断面形状にあって、開放状態の上扉４８ａは内面を傾斜した状態で上向きとする形態に保持されていて、この開放された上向き状態の内面周囲を高くして水滴等の水溜め可能な凹所５８ａを形成している。具体的には、上扉４８ａは外扉部材５９と上記凹所５８ａを形成した内扉部材５８との二重板構成からなり、且つその閉扉状態にて下端部を前方に下降した傾斜面部６０を形成するとともに、該傾斜面部６０に配設され外扉部材５９と内扉部材５８とにより挟持されるように装着されたパッキン６１を設けている。このパッキン６１は、閉扉状態における下扉４８ｂとの上下端部間を水密に密封するもので、該下扉４８ｂの上端部も上記傾斜面部６０に対向する傾斜面部６６を形成している。
【００２２】
また、図１において下扉４８ｂの軸支される下端部側には、後方に直状に延びた連結部材６２が固定的に連結され、下扉４８ｂと一体に回動する。この連結部材６２は、該連結部材６２の支軸５５を支点とする回動範囲にあって、本体４１側に固着されたストッパー６３と所定位置で衝止され、回動規制する構成としている。すなわち、図示する下扉４８ｂの水平状態の開放位置で連結部材６２がストッパー６３に衝止されるように配設され、それ以上の開放方向への回動が阻止され、以って下扉４８ｂをほぼ水平状態に保持できるようにしたもので、その内面が前記したように下部食器かご４５の収納位置とほぼ同等高さに設定された形態となる。
【００２３】
更に、この連結部材６２の後方端部には、連動部材６５の一端が回動可能に連結され、この連動部材６５の他端は前記アーム部材５３の後方端部に連結されていて、以って上扉４８ａと下扉４８ｂとの間が連結されて連動可能な構成、所謂連動機構を構成している。ところで、上記連動部材６５の他端は長孔６５ａを形成していて、これにアーム部材５３の後方端部が移動可能に係合している。従って、アーム部材５３の回動変位は長孔６５ａ内で移動した後、連動部材６５に伝達されるもので、詳細は作用説明の項で述べる。
【００２４】
次に、上記構成の食器洗浄機の作用について、特には扉体４８の開閉動作につき図３，４を参照して説明する。なお、図３の側面図と図４の斜視図における各同図（イ）〜（ニ）は、実質的に同じ動作状態を示すものであるため、特には図３を主体に説明することとする。
まず、図３の（イ）に示す扉体４８の閉鎖状態においては、上扉４８ａはばね部材５４により閉鎖方向に付勢されているが、主にはラッチ５１ａが被掛け具５１ｂと係合して本体４１側に緊締状態に拘束され、図１に示した開口部４３周縁のパッキン４９を挟圧して密着し水密状態に保持されている。また下扉４８ｂは、上記状態の上扉４８ａの下端部の傾斜面部６０が、パッキン６１を介して下扉４８ｂの傾斜面部６６を本体４１側に押圧する作用をなし、周縁部のパッキン４９との密着に加え、上，下扉４８ａ，４８ｂ間も確実に水密状態に保持されている。なお、アーム部材５３の上半部の円弧状部分は、上扉４８ａの円弧状部分に対応し且つその内側面に収納された状態に保持される。
【００２５】
しかして、上記した閉鎖状態にある扉体４８を開放操作する場合は、上扉４８ａを手掛け部５０を掴んで主に前方に引っ張り操作する。すると、弾性的に係合状態にあったラッチ５１ａが係合解除され、同図（ロ）に示すように上扉４８ａは主としてアーム部材５３に回動支持されながら、その全体が主に前方に平行移動する形態にて本体４１の前面でもある開口部４３周縁から直ちに離反する。このとき、アーム部材５３の後端部は連動部材６５の長孔６５ａの上端部に係合している。
【００２６】
一方、下扉４８ｂも同時に支軸５５を支点とする回動開放を開始する。すなわち、アーム部材５３の回動（反矢印Ｒ方向）に連動して連動部材６５が上方に引っ張り上げられ、この変位は連結部材６２に伝達され下扉４８ｂと共に支軸５５を中心に開放方向に回動させる。この場合、下扉４８ｂは上扉４８ａの下端部に係合しているが、これは凸部５６と凹溝５７の摺動可能な状態にあるため、上扉４８ａの開放動作は上記連動機構を主体に下扉４８ｂに伝達され、しかも上扉４８ａや下扉４８ｂ自体の自重およびモーメントにより僅かの開放変位にて速やかな開放回動が開始でき、従ってばね部材５４の付勢力に抗して上扉４８ａを小さな開放操作力にてスムースに開扉操作ができる。
【００２７】
しかして、同図（ロ）の開放初期の状態から続けて上扉４８ａを下方向に回動操作すると、同図（ハ）の開放状態に至り、まず下扉４８ｂが水平状態となす完全に開放した位置に達する。すなわち、下扉４８ｂの連結部材６２が一体に回動し、所定位置でストッパー６３に衝止して、それ以上の回動を阻止される。この所定位置が下扉４８ｂのほぼ水平状態となるように設定されたもので、且つ上扉４８ａは前方に最も引っ張り出された状態にある。従って、以降は上扉４８ａのみ回動移動させられることになる。
【００２８】
続いて、上扉４８ａを更に下方向に回動操作すると、アーム部材５３の回動変位は連動部材６５の長孔６５ａ内のみの移動に相殺されて伝達されず、下扉４８ｂは静止状態に保持されたままで、上扉４８ａのみが下扉４８ｂとの摺動可能な連結部を介してガイドされるように移動する。この連結部は、図２（ａ）に開示したように凸部５６と凹溝５７との凹凸係合によるもので、図１や図３（ニ）に示すように凸部５６が凹溝５７の上端部に達するまで上扉４８ａは移動し、該端部にてそれ以上の動きが阻止されたとき、上扉４８ａは完全に開放された状態となる。
【００２９】
この場合、上扉４８ａは上端部の一部を残して内面側を上向きにして大半が下扉４８ｂの下側に位置する。これにより、図２（ｂ）に開示した如く上扉４８ａの内面たる内扉部材５８には、凹所５８ａを形成しているので、内面側に付着した水滴が滴下しても貯留可能なため、設置面等を滴下水で汚すことはない。なお、この凹所５８ａ内に貯留された水は、扉体４８の閉鎖時に洗浄槽４２内に放出回収される。
【００３０】
これに対し、水平状態に開放された下扉４８ｂにあっては、収納状態の下部食器かご４５を前方に引っ張り水平移動させることで、下扉４８ｂの上向きの内面上に容易に引き出すことができる。この内面形状を、例えば図４（ニ）に示すように左右両側部に下部食器かご４５底部を摺動案内するかご摺動部６７を形成し、その内方側を凹所６８として形成しておくことで、上記した上扉４８ａ（凹所５８ａ）と同様に結露水や水滴等の滴下を防ぐとともに、該内面上に引き出された食器かご４５内の食器類（図示せず）からの洗浄前の料理汁や滴下水を受けることができ、設置面を汚す恐れはない。
【００３１】
なお、同図（ニ）に示すように上扉４８ａの円弧状をなす上端部が下扉４８ｂの前方にて内面より上方に若干突出するが、その突出高さＣ１は下部食器かご４５の高さＣ２より低くしているので、該食器かご４５の出し入れの手動操作は何ら支障なく容易にできる。また、上端部が円弧状をなしているので、突出した端部の前方への突出量を抑えることができ、コンパクトな開扉状態を得るのに有利である。
【００３２】
斯くして、洗浄槽４２の開口部４３の下端部に軸支され回動開放した下扉４８ｂは、開口部４３の下端部まで完全に開放し、一方上端部は上扉４８ａが下扉４８ｂ側に集束し、更には上扉４８ａが下扉４８ｂの下側に位置する開放状態にあるので、開口部４３の上部についても完全に開放された状態を得る。特に、上扉４８ａの上半部を円弧状として同形状の開口形状となした開口部４３の上端部は、一部上方を臨む開口形態とすることができ、以って広い出入口とした洗浄槽４２から食器かご４４，４５や直接食器類を出し入れする作業を容易にし使い勝手を良くしている。
【００３３】
しかして、この図３（ニ）に示す開扉状態から再び扉体４８にて開口部４３を閉鎖する場合には、実質的に上記開放手順とが逆の操作手順で行なえばよいが、この閉扉操作の場合には連動部材６５による連動機構より、むしろ上，下扉４８ａ、４８ｂ間の連結部を主体にした閉鎖動作が行なわれる。
まず、上扉４８ａの手掛け部５０を掴み或いは手を掛けるなりして上方に持ち上げるように操作する。これにより、当初上扉４８ａのみがアーム部材５３の支軸５２を中心に矢印Ｒ方向に回動し、同図（ハ）に示す状態まで移動する。
【００３４】
この場合、アーム部材５３の回動変位は連動部材６５の長孔６５ａ内の移動範囲であるため該連動部材６５には実質的に伝達されない。一方、上扉４８ａと下扉４８ｂとの連結部を構成する凹溝５７と凸部５６は、上扉４８ａの上方向への回動に対し摺動可能な係合状態にあるため、図（ハ）に示すように凸部５６が凹溝５７の下端部に達するまで摺動し、その間、該連結部を介して下扉４８ｂを持ち上げるような作用を奏せず、いずれも下扉４８ｂには回動変位は伝達されず図（ハ）に示す水平状態に保持されたままである。
【００３５】
しかして、この状態から引き続き上扉４８ａの上方向への回動操作が行なわれると、上扉４８ａと下扉４８ｂとの連結部は、該上扉４８ａの上方向への移動に対しては凹溝５７の下端部に凸部５６が係合した連結状態となり、以後該連結部を介して下扉４８ｂを上方に持ち上げるように閉鎖方向に移動する。従って、下扉４８ｂが支軸５５を中心に回動し、また上扉４８ａも最も前方に突き出た状態を越えて図（ロ）に示すように回動変位し、本体４１前面部に接近する。
【００３６】
そして、更に上扉４８ａを回動操作して本体４１の前面に接合した後、押し付けるように押圧操作することで、上扉４８ａは開口部４３周縁に圧接するとともに、ラッチ５１ａが本体４１側の被掛け具５１ｂと係合して、扉体４８をパッキン４９に圧着せしめ、および上扉４８ａが下扉４８ｂの上端部を押圧して、その間に介在されたパッキン６１により水密に保持されるなど、図（イ）に基づき前述した開口部４３の閉鎖状態に至る。なお、上扉４８ａによる回動操作は、下扉４８ｂを伴なう操作であるが、ばね部材５４により終始閉鎖方向への付勢力を受けて大きな力を要することなく操作できる。
【００３７】
以上説明したように、本実施例によれば次の効果を有する。
洗浄槽４２の開口部４３を開閉する扉体４８を、上下方向に配列した上扉４８ａと下扉４８ｂとから構成し、そのうちの下扉４８ｂは開口部４３の下部に回動自在に軸支する一方、上扉４８ａはアーム部材５３を介して開口部４３の周縁に接離可能に設け、且つ該上扉４８ａは開放状態のとき下扉４８ｂの下側に位置する構成としたので、下扉４８ｂは、その下端部を回動自在に軸支した簡易な構成にて提供できるとともに、開口部４３の下部領域を大きく確実に開口でき、従ってアーム部材５３を介して回動可能に設けられた上扉４８ａと共に洗浄槽４２前面の大きな開口部４３全体を確実に開閉できる。
【００３８】
そして、このような開放状態のもとで下扉４８ｂの下側に上扉４８ａが位置するようにしたので、上扉４８ａが洗浄槽４２の開口部４３前方や上方を何ら妨げることがなく、以って食器かご４４，４５の出し入れを容易にするとともに、本体４１上方におけるスペースセービングが図り得るなど、コンパクトな構成にて使い勝手に優れた食器洗浄機を提供できる。しかも、上扉４８ａが下扉４８ｂの下側に位置するように、これら上，下扉４８ａ，４８ｂを摺動可能な連結構成としたので、二つの扉部材を安定した開閉操作を行なうことができる。
【００３９】
加えて、開放状態の上，下扉４８ａ，４８ｂは共に上向き状態にあって、その上面側である内面に水溜め用の凹所５８ａ，６８をそれぞれ形成しているので、洗浄前後における食器類からの調理汁とか水滴はもとより、洗浄中等に上，下扉４８ａ，４８ｂ自体の内面に付着した水滴や結露等に対しても、これが設置面に滴下するのを有効に防止でき、該設置面を汚すおそれもない。
【００４０】
また、上扉４８ａの上半部の形状を本体４１側に向かって円弧状に曲成したので、全開状態のとき、その上扉４８ａの上端部が前方への突出量を抑えるに有効であるとともに、該円弧状に合わせて開口部４３の上端部も同形状として、開口部４３は一部上方を臨む所謂間口の広い出入口構成となり、食器かご４４，４５や直接食器類の出し入れも一層容易にでき、特に比較的狭いシンク上での使い勝手が頗る良くなる。
【００４１】
しかるに、この種扉体４８の構成では、閉扉状態のとき上下方向に配列した上，下扉４８ａ，４８ｂ間に隙間が生じ易く、該部位からの水漏れが懸念されるところであるが、扉体４８をラッチ５１ａにて本体４１側にパッキン４９を挟圧して緊締状態に係止されたとき、本実施例によれば互いの対向する傾斜面部６０，６６を利用して上扉４８ａが下扉４８ｂを押圧する構成としたので、両者間に隙間を生ずることなく密着でき、加えてパッキン６１を介在すれば一層確実な水密構成にすることができる。なお、上記傾斜面６０，６６は簡易な構成にて対応できる点で有利であるが、要は上扉４８ａにて下扉４８ｂを押さえる構成であれば良く、他に種々展開して実施可能である。
【００４２】
一方、開扉状態において、上記したように下扉４８ｂは簡易な軸支構成に加えて、開口部４３の下部にあって水平状態に開放保持され、その内面が下部食器かご４５とほぼ同等の高さ位置となるように設定されていて、所謂該食器かご４５の底部が下扉４８ｂの内面とほぼ水平となる位置付けにあるので、洗浄槽４２内部の食器かご４５を内面上に容易に引き出すことができ、且つ容易に収納できるもので、従って食器かご４５を前方に適宜引き出して行なう食器類の着脱操作も頗る簡単にできる。
【００４３】
このような、扉体４８の開閉操作は上扉４８ａによって行なわれ、従って上扉４８ａには手掛け部５０を備えるとともに、ラッチ５１ａを設け、本体４１側の被掛け具５１ｂとの係脱操作を直接容易に且つ確実に行なえるようしている。そして、上扉４８ａのアーム部材５３には閉扉方向に付勢するばね部材５４を張設しているので、特には上扉４８ａの自重による開放モーメントを軽減でき、閉鎖時に大きな力を要することなく操作でき、且つ不用意に上扉４８ａが開放せず閉鎖状態を保持できる点でも有効である。但し、このばね部材５４の張力は、上扉４８ａの自重やアーム部材５３を含む開扉方向のモーメントより小さく設定してあり、加えてアーム部材５４の回動支点である支軸５２に近傍に連結されているので、大きな変位や伸縮作用が抑えられ、従って上記張力が開放状態の上扉４８ａを水平状態を保持するに何ら妨げとならない。
【００４４】
その他、本実施例では上扉４８ａより下扉４８ｂの上下方向の寸法を小さくしたので、開扉時における水平状態に突出する寸法を抑え前方スペースを小さくでき、この下側に位置する上扉４８ａを含む扉体４８としてコンパクトな開放状態に集束できる。また、本実施例では連動機構を構成する連動部材６５は必ずしも必要としないが、特には開扉時における上扉４８ａの開放操作に対し下扉４８ｂが確実に連動し、スムースな開放動作が得られる点で有効である。
【００４５】
（変形例）
上記実施例に対し、図５（イ）〜（ニ）は変形例を示す図３相当図にあって、上記実施例と実質的に同一部分には同一符号を付して説明を省略し、異なる部分についてのみ説明する。
このものは、上記実施例の上半部を円弧状とした上扉４８ａに対し、直方体形状からなる上扉６９とした扉体７０とした点で相違する。従って、これに関連して洗浄槽４２の開口部７１は通常の前方を開放した矩形の開口形状とし、またアーム部材７２も直状に曲成された形状としている。
このため、上記実施例のように上方を臨む広い開口部７１でない点、および開放状態にある上扉６９が円弧状の上扉４８ａより若干前方に突出する点で不利であるものの、反面簡単な構成にて提供できるとともに、他は上記実施例とほぼ同様の作用効果を奏するもので、スペースセービングや使い勝手の向上など所期の目的を確実に達成できる。
【００４６】
なお、本発明は上記し且つ図面に示した各実施例にのみ限定されるものではなく、例えば上扉の上半部を円弧状に曲成したが、直状に曲成した構成としてもほぼ同様の効果が得られるとともに、ほぼ全体を曲成したり上端部の一部を本体側に指向して曲成しても良い。その他、上扉と下扉とを摺動可能に連結した凹凸係合部位を逆配置にしたり、或いは閉扉方向に付勢するばね部材も必ずしも必要としないなど、実施に際して本発明の要旨を逸脱しない範囲内で種々具体的に変更して実施し得る。
【図面の簡単な説明】
【００４７】
【図１】本発明の一実施例を示す開扉状態の食器洗浄機の全体構成を示す側面図
【図２】（ａ）および（ｂ）は、図１中のＡ−Ａ線およびＢ−Ｂ線に沿って切断して示すそれぞれ要部の拡大断面図
【図３】扉体の開閉動作を説明すべく主な動作形態（イ）〜（ニ）を示す側面図
【図４】図３（イ）〜（ニ）に対応した斜視図
【図５】変形例を示す図３相当図
【図６】従来例の異なる例（ａ），（ｂ）を示す概略的な側面図
【図７】更に他の従来例を示す側面図
【符号の説明】
【００４８】
図面中、４１は本体、４２は洗浄槽、４３，７１は開口部、４５は下部食器かご（食器かご）、４８，７０は扉体、４８ａ，６９は上扉、４８ｂは下扉、４９はパッキン、５０は手掛け部、５１ａはラッチ、５６は凸部、５７は凹溝、５８ａ，６８は凹所、６１はパッキン、６３はストッパー、および６５は連動部材（連動機構）を示す。
【図１】
2006034331.tif 000003
【図２】
2006034331.tif 000004
【図３】
2006034331.tif 000005
【図４】
2006034331.tif 000006
【図５】
2006034331.tif 000007
【図６】
2006034331.tif 000008
【図７】
2006034331.tif 000009